(57)【特許請求の範囲】
【請求項１】
収納家具本体の側框に上下動可能に支持された作動部材と、該作動部材をロック解除方向に付勢する弾性部材と、前記作動部材に設けられた係止部に係止するストッパーが設けられた上下複数の前後開閉可能な引出しと、特定の引出しの前板に設けられた錠前のロック又はロック解除操作に伴って引出し側方へ出没するロック操作部材と、前記側框に設けられた、前記ロック操作部材による操作力を前記作動部材に伝達する連係具とを備え、前記錠前の操作による前記係止部と前記ストッパーとの係脱により前記複数の引出しを一斉にロック又はロック解除する収納家具における引出しのロック装置であって、
前記ロック操作部材が、その遊端部の上面又は下面に、前記側框方向へ行くにしたがって下方又は上方へ傾斜する斜面が形成されたものであり、
前記連係具が、前記側框に取付けられる基体と、該基体に中間部分を支持されて左右方向軸まわりに回動可能な、一端を入力端とし他端を出力端としてなる回動レバーとからなり、
前記ロック操作部材の前記側框方向への突出により、該ロック操作部材の前記上面又は下面の斜面に前記回動レバーの入力端の下面又は上面が当接して上方又は下方に駆動され、前記回動レバーの出力端が下方又は上方へ移動して前記作動部材が駆動されることを特徴とする収納家具における引出しのロック装置。
【請求項２】
前記回動レバーの回動中心と前記出力端との距離を、該回動中心と前記入力端との距離よりも大きくしてなる請求項１記載の収納家具における引出しのロック装置。
【請求項３】
前記回動レバーを前記左右方向軸まわりに回転付勢するねじりコイルばねを前記基体内に組込み、該ねじりコイルばねを前記弾性部材としてなる請求項１記載の収納家具における引出しのロック装置。
【発明の詳細な説明】
【技術分野】
【０００１】
本発明は、ワゴン又は袖キャビネット等の収納家具における引出しのロック装置に係わり、更に詳しくは、収納家具本体内に収容された複数の引出しを一斉にロック又はロック解除することが可能なロック装置に関するものである。
【背景技術】
【０００２】
従来のワゴン又は袖キャビネット等の収納家具における引出しのロック装置として、収納家具本体の側框に上下動可能に支持された作動部材と、該作動部材をロック解除方向に付勢する弾性部材と、前記作動部材に設けられた係止部に係止するストッパーが設けられた上下複数の前後開閉可能な引出しと、特定の引出しの前板に設けられた錠前のロック又はロック解除操作に伴って側方へ出没するロック操作部材と、前記側框に設けられた、前記ロック操作部材による操作力を前記作動部材に伝え、該ロック操作部材と該作動部材とを連動させる連係具とを備え、前記錠前の操作による前記係止部と前記ストッパーとの係脱により前記複数の引出しを一斉にロック又はロック解除するものがある（例えば、特許文献１又は２参照。）。
【０００３】
特許文献１には、前記連係具として、縦片と横片とを折曲形成してなる正面視略Ｌ字形の回動部材を前後方向軸まわりに回動可能に側框内側面の開口部に設け、前記ロック操作部材が前記縦片（入力部）を押すと、前記横片（出力部）が前記作動部材に設けた当接部を押圧し、前記弾性部材の付勢力に抗して前記作動部材が下降するようにして、前記ロック操作部材と前記作動部材とを連動させる構成の開示がある。
【０００４】
また、特許文献２には、前記連係具として、正面視略三角形状の回動部材を前後方向軸まわりに偏心回転可能にケース内に収容し、該ケースを側框内側面の開口部に取付け、前記ロック操作部材が前記回動部材の偏心部（入力部）を押すと、前記回動部材の偏心部の適所に突設され前記作動部材の凹所に係合するピン（出力部）により前記弾性部材の付勢力に抗して前記作動部材が下降するようにして、前記ロック操作部材と前記作動部材とを連動させる構成の開示がある。
【０００５】
【特許文献１】実用新案登録第２５５９５０８号公報（図２−６）
【特許文献２】実用新案登録第２５９５１３６号公報（図２−７）
【発明の開示】
【発明が解決しようとする課題】
【０００６】
特許文献１及び２に開示された収納家具における引出しのロック装置は、ロック操作部材と作動部材とを、それらとはリンク連結していない連係具を介して当接関係のみによって連係させているので、錠前を引出し前板に、作動部材を収納家具本体の側框に、そして連係具を側框の開口内にそれぞれ独立して設けることができ、それにより組立作業が極めて容易になること、及び、収納家具本体の上框部を前面に露出させる必要がなくなり、若しくは薄く形成できるので、主に最上段の引出しの収納スペースを大きくすることができること等の顕著な効果を奏するものである。
【０００７】
しかし、前記側框内に設けられる連係具の回動部材が前後方向軸まわりに回動する構成であり、該回動部材の回動により前記作動部材のストロークを確保する必要があることから、特許文献１の構成では回動部材の横片の長さを、特許文献２の構成では回動部材の支軸とピン（作動部材（作動杆）の凹所）との距離を長くする必要がある。したがって、前記側框の左右方向の幅を比較的大きくする必要があり、左右の側框の間隔により引出しの幅が規制されるため、側框の幅が小さい収納家具と比較すると、収納家具本体の大きさに対する収納スペースの割合が小さくなるという改良の余地がある。
【０００８】
本発明は、前記のような問題点を解決するためになされたものであり、前記側框の左右方向の幅を小さくすることができるため、収納家具本体の大きさに対する収納スペースの割合を大きく保つことができる収納家具における引出しのロック装置を得ることを目的とする。
【課題を解決するための手段】
【０００９】
本発明に係る収納家具における引出しのロック装置は、前記課題解決のために、収納家具本体の側框に上下動可能に支持された作動部材と、該作動部材をロック解除方向に付勢する弾性部材と、前記作動部材に設けられた係止部に係止するストッパーが設けられた上下複数の前後開閉可能な引出しと、特定の引出しの前板に設けられた錠前のロック又はロック解除操作に伴って引出し側方へ出没するロック操作部材と、前記側框に設けられた、前記ロック操作部材による操作力を前記作動部材に伝達する連係具とを備え、前記錠前の操作による前記係止部と前記ストッパーとの係脱により前記複数の引出しを一斉にロック又はロック解除する収納家具における引出しのロック装置であって、前記ロック操作部材が、その遊端部の上面又は下面に、前記側框方向へ行くにしたがって下方又は上方へ傾斜する斜面が形成されたものであり、前記連係具が、前記側框に取付けられる基体と、該基体に中間部分を支持されて左右方向軸まわりに回動可能な、一端を入力端とし他端を出力端としてなる回動レバーとからなり、前記ロック操作部材の前記側框方向への突出により、該ロック操作部材の前記上面又は下面の斜面に前記回動レバーの入力端の下面又は上面が当接して上方又は下方に駆動され、前記回動レバーの出力端が下方又は上方へ移動して前記作動部材が駆動されるものである。
【００１０】
ここで、前記回動レバーの回動中心と前記出力端との距離を、該回動中心と前記入力端との距離よりも大きくしてなると好ましい。
【００１１】
また、前記回動レバーを前記左右方向軸まわりに回転付勢するねじりコイルばねを前記基体内に組込み、該ねじりコイルばねを前記弾性部材としてなると好ましい。
【発明の効果】
【００１２】
本発明に係る収納家具における引出しのロック装置によれば、収納家具本体の側框に上下動可能に支持された作動部材と、該作動部材をロック解除方向に付勢する弾性部材と、前記作動部材に設けられた係止部に係止するストッパーが設けられた上下複数の前後開閉可能な引出しと、特定の引出しの前板に設けられた錠前のロック又はロック解除操作に伴って引出し側方へ出没するロック操作部材と、前記側框に設けられた、前記ロック操作部材による操作力を前記作動部材に伝達する連係具とを備え、前記錠前の操作による前記係止部と前記ストッパーとの係脱により前記複数の引出しを一斉にロック又はロック解除する収納家具における引出しのロック装置であって、前記ロック操作部材が、その遊端部の上面又は下面に、前記側框方向へ行くにしたがって下方又は上方へ傾斜する斜面が形成されたものであり、前記連係具が、前記側框に取付けられる基体と、該基体に中間部分を支持されて左右方向軸まわりに回動可能な、一端を入力端とし他端を出力端としてなる回動レバーとからなり、前記ロック操作部材の前記側框方向への突出により、該ロック操作部材の前記上面又は下面の斜面に前記回動レバーの入力端の下面又は上面が当接して上方又は下方に駆動され、前記回動レバーの出力端が下方又は上方へ移動して前記作動部材が駆動されるので、前記回動レバーが左右方向軸まわりに回動する構成であるため、該レバーを略前後方向に延ばして前記入力端及び出力端を形成することができる。したがって、前記側框に取付けられる連係具の左右方向の幅を小さく抑えることができるため、前記側框の左右方向の幅も小さくすることができる。よって、収納家具本体の大きさに対する収納スペースの割合を大きく保つことができる。また、前記連係具が、部品点数の少ない簡素かつコンパクトなユニット化された構成であるため、ロック又はロック解除動作を確実に行うことができるとともにコストを削減することができる。
【００１３】
また、前記回動レバーの回動中心と前記出力端との距離を、該回動中心と前記入力端との距離よりも大きくしてなると、前記引出しのロック解除状態とロック状態とを切替えるために必要な前記出力端の上下ストロークを確保するための前記入力端の上下ストロークを小さくすることができる。したがって、前記ロック操作部材の側框方向のストロークを小さく抑えることができため、前記連係具の左右方向の幅をさらに小さく抑えることができ、前記側框の左右方向の幅もより小さくすることができる。よって、収納家具本体の大きさに対する収納スペースの割合をさらに大きく保つことができる。
【００１４】
さらに、前記回動レバーを前記左右方向軸まわりに回転付勢するねじりコイルばねを前記基体内に組込み、該ねじりコイルばねを前記弾性部材としてなると、前記効果に加え、前記作動部材をロック解除方向に付勢する弾性部材をユニット化された連係具と別体に設ける必要がなくなるため、組立作業性を大きく向上することができる。また、前記弾性部材を含んでなる前記回動バーの回動機構がユニット内で完結し全体として簡素な構成となるので、ロック装置全体としての信頼性を向上させることができる。
【発明を実施するための最良の形態】
【００１５】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、引出しを引き出す方向側（引出しを開ける方向側）を前、その反対側（引出しを閉じる方向側）を後とし、後方に向かって左右を左右とする。
【００１６】
図１は、本発明の実施の形態に係る収納家具における引出しのロック装置が用いられた上下２段の引出しを備えたワゴンを示す縦断左側面図、図２は引出しの分解斜視図、図３及び図４は、錠前及びロック操作部材並びに連係具及び作動部材の関係を示す前側から見た斜視図であり、図４は側框への連係具の取付け方法も示している。また、図５は連係具の分解斜視図、図６は同じく動作説明図であり、図６（ａ）は正面図（連係具３４を側框１１２に取付けた状態で左側から見た図）、図６（ｂ）は平面図である。
【００１７】
図１に示すように、ワゴン１０１は、ワゴン本体１０２、ワゴン本体１０２の左右内側面に取付けられたレール並びに該レールに係合するローラー及びスライダー等の組合せからなる案内手段１０３，１０３により引出しレール５，５が支持されて前後に開閉可能な、上段引出し１０４及び下段引出し１０５等から構成される。また、ワゴン本体１０２は、後側板１０６及び左右側板１０７，１０７からなる前側を開放してなる平面視略コ字状の鋼製の側板、該側板の上部前後に取付けられた鋼製の上框１０８ａ及び取付板１０８ｂ、該側板の下部前後に取付けられた鋼製の下框１０９ａ及び底板１０９ｂ、上框１０８ａ及び取付板１０８ｂの上面に取付けられた鋼製又は木製の天板１１０、並びに、下框１０９ａ及び底板１０９ｂの下面に取付けられたキャスター１１１，…等により構成される。該キャスター１１１，…により、ワゴン１０１の移動が容易となっている。
【００１８】
図１及び図２に示すように、上段引出し１０４及び下段引出し１０５は、鋼製の前板１の後面に鋼製の裏カバー２を取付け、その後側に上方に開口する正面視略コ字状の鋼製の胴板３を取付け、該胴板３の後側に鋼製の後板４を取付けて物品の収容部を形成している。また、引手装置１１は、引出し１０４，１０５の前板１の上側において、左右方向軸まわりに回動可能な、合成樹脂製の引手体１２と、該引手体１２の回動による隙間を塞ぐ重合部が設けられた、合成樹脂製のカバー体１３とを備えている。なお、図２に図示している係合孔１７は、上段引出し１０４のみに形成される。
【００１９】
引出し１０４，１０５を閉じてワゴン本体１０２内に収容した状態では、平面視及び側面視において、天板１１０及び左右の側板１０７，１０７により、該引出し１０４，１０５の前板１，１が隠され、平面視及び側面視において視認されない構造となっているため、すっきりとした外観の印象を与えることができるとともに、前記のとおり合成樹脂製である引手体１２及びカバー体１３を保護することができる。
【００２０】
また、引出し１０４，１０５は、前記のとおり案内手段１０３，１０３により支持されて前後に開閉可能とされ、引出し１０４，１０５を閉じると、ラッチ装置１４が作動状態となるため、引出し１０４，１０５が不意に開くことが防止される。そして、引手体１２を引くと、該操作に連動してラッチ装置１４が解除状態となる。
【００２１】
図２に示すように、前板１の上部には、上方、後方及び下方に連続して折り曲げられたカバー体支持部１５が形成され、前板１の下部には、係合孔１６ａ，…が形成された、後方へ延びる裏板支持板１６が横設される。また、裏カバー２には胴板３が溶着され、裏カバー２の上部には、上方及び前方に連続して折り曲げられ、後面板１８ａ及び上面板１８ｂからなる係合片１８が形成され、裏カバー２の下部には、図示しない係合凸部が下方へ突設される。
【００２２】
したがって、図２の上段引出し１０４において、錠前３２（図３及び図４参照。）を裏カバー２に取付けた後に、裏カバー２上部の係合片１８を前板１のカバー体支持部１５の下側から挿入して、後面板１８ａ及び上面板１８ｂをカバー体支持部１５の下側に係合させた状態で、裏カバー２下部の図示しない係合凸部を前板１下部の裏板支持板１６に形成された係合孔１６ａ，…に係止することにより、シリンダー３８（図３及び図４参照。）を前板１の係合孔１７に係合させながら、容易に裏カバー２を前板１に取付けることができる。
【００２３】
また、図２に示すように、引出し１０４（１０５）の胴板３の左右外側面には、外方へ突出する突起２１，２１が設けられ、該突起２１，２１には前後方向の係合孔２１ａ，２１ａが形成される。また、引出し１０４（１０５）の裏カバー２の左右の後面板１９，１９には、係合孔１９ａ，１９ａが形成され、該裏カバー２の左右の側面板２０，２０には係止孔２０ａ，２０ａが形成される。
【００２４】
したがって、引出し１０４（１０５）を閉じる際の振止めを行う振止め体６，６の係合片７，７を、胴板３の前記係合孔２１ａ，２１ａの後側から挿入するとともに、裏カバー２の前記係合孔１９ａ，１９ａの後側から振止め体６，６の係止片８，８を挿入して、裏カバー２の前記係止孔２０ａ，２０ａに、前記係止片８，８の前端鉤状部を係止させれば、左右の振止め体６，６は、胴板３の左右の外側面に接した状態で、胴板３及び裏カバー２に容易かつ確実に取付けられる。
【００２５】
また、図１及び図２に示すように、引出し１０４（１０５）の胴板３の右側面には、錠前３２（図３及び図４参照。）のキー操作に連動する作動部材３５の係止部３６（図１、図３及び図４参照。）に係止するストッパー２２が設けられているため、該係止部３６とストッパー２２との係脱により、後述するように複数の引出し１０４，１０５を一斉にロック又はロック解除することができる。
【００２６】
図３に示すように、上段引出し１０４において、スポット溶接等により裏カバー２に溶着された取付板３７の押え板３７ａを工具により下方へ押圧して錠前３２上面の凹部３２ａに係合する位置まで折曲げることにより、錠前３２は、裏カバー２に容易かつ確実に取付けられる。そして、前記のとおり裏カバー２は前板１に容易に取付けることができるため、錠前３２は、前板１及び裏カバー２間に支持固定され、前板１の係合孔１７にはシリンダー３８が係合してキー穴３８ａが前面に露出し、裏カバー２の側面開口部２３からはロック操作部材３３の遊端側部分が突出する。
【００２７】
ロック操作部材３３は、鋼板製であり、被ガイド部３３ｂが左右方向にスライド可能に支持されており、錠前３２のシリンダー３８のキー穴３８ａに図示しないキーを挿入し、該キーを回動させるキー操作によって駆動されて左右方向に往復動するものであり、その遊端部（右端部）上面にはロック操作部材３３の突出方向である右方（側框１１２に近づく方向）へ行くにしたがって下方へ傾斜する斜面（前から見て右方へ行くにしたがって下方へ傾斜する斜面）３３ａが形成されている。
【００２８】
後述するようにユニット化された連係具３４は、図４に示す側框１１２（右前補強体）に形成された連係具取付孔１１３に対して、左側から挿入することにより、図５及び図６に示すポリアセタール、ポリプロピレン、ポリエチレンテレフタレート、ナイロン又はＡＢＳ等の合成樹脂製の連係具本体（基体）４１の上下の係止片４１ｃ，４１ｄ，４１ｅが連係具取付孔１１３の上下端縁に係止し、上下の当止部４１ｆ，４１ｇ，４１ｈが連係具取付孔１１３の上下端縁の手前側（左側）に位置するため、容易かつ確実に側框１１２に取付けられる。
【００２９】
図５及び図６に示すように、ポリアセタール、ポリプロピレン、ポリエチレンテレフタレート、ナイロン又はＡＢＳ等の合成樹脂製の回動レバー４２は略前後方向に延びており、その中間部左右に回動支軸４２ａ，４２ｂが突設される。ねじりコイルばね４３のコイル部分を回動支軸４２ａに遊嵌し、該ばね４３の一方の端末４３ａを回動レバー４２のばね受けピン４２ｃの下側とし、他方の端末４３ｂを連係具本体４１の底壁の上側とした状態で、連係具本体４１に対して回動レバー４２を例えば後方から前方へ相対移動させ、回動支軸４２ａ，４２ｂを連係具本体４１の左右壁に形成された軸受孔４１ａ，４１ｂに左右方向内側から嵌入する。
【００３０】
このようにして、回動レバー４２は、左右方向軸である回動支軸４２ａ，４２ｂまわりに回動可能に、連係具本体４１により支持されるとともに、ねじりコイルばね４３により回転付勢されて、図６（ａ）の実線の位置に保持される。なお、ねじりコイルばね４３はコンパクトであり、回動レバー４２の回動支軸４２ａまわりに遊嵌され所要スペースが小さいため、連係具３４のコンパクト化を図ることができる。
【００３１】
なお、連係具本体４１の軸受孔４１ａ，４１ｂの少なくとも一方の周壁に、回動レバー４２の連係具本体４１内への挿入側（例えば前記軸受孔の後側）に、単又は複数のスリットを形成しておけば、該スリットの近傍が弾性変形しやすくなるため、前記回動レバー４２の回動支軸４２ａ，４２ｂを連係具本体４１の軸受孔４１ａ，４１ｂに嵌入する作業を容易に行うことができる。また、連係具本体４１の左右壁に、回動支軸４２ａ，４２ｂの直径よりも若干大きい上下幅の溝を形成しておけば、該溝をガイドとして前記連係具本体４１への回動レバー４２の組付け作業をより容易に行うことができる。このようにして、連係具本体４１、回動レバー４２及びねじりコイルばね４３のみからなる部品点数の少ない簡素な構成の連係具３４は、容易に組立てられてユニット化される。
【００３２】
以上のようにユニット化された連係具３４は、前記のとおり、回動レバー４２の前側（図６（ａ）の右側）の被駆動部（入力端）４２ｅが下方位置に、回動レバー４２の後側（図６（ａ）の左側）の係合凸部（出力端）４２ｆが上方位置にある図６（ａ）の実線の状態となる。また、この状態において、回動レバー４２の当止部４２ｄが連係具本体４１の上壁下面に当止されて該状態が保持される。なお、図５及び図６（ｂ）の略半球状の凸部４２ｇは、回動レバー４２の被駆動部４２ｅの回動動作時に、連係具本体４１の右壁内面との間に位置して該回動動作をより円滑に行うためのものである。
【００３３】
図３及び図４に示すように、作動部材３５は、側框１１２に形成された上下方向の案内溝１１４に嵌めこまれ、該側框１１２により上下スライド可能に支持され、その内向面（左面）には、内方に突出する係止部３６，３６が上下に設けられ、水平長孔３５ａには前記連係具３４の係合凸部４２ｆが係合する。
【００３４】
以上のロック装置３１の構成により、図４に示すように、錠前３２のキー穴３８ａに図示しないキーを挿入して該キーを回転（例えば、時計まわりに１８０°回転）すると、ロック操作部材３３が側框１１２に近づく方向へ移動する（図４中矢印Ａ参照。）。ロック操作部材３３の遊端部上面には前記のとおりロック操作部材３３の突出方向である右方へ行くにしたがって下方へ傾斜する斜面３３ａが形成されているため、該斜面３３ａにより連係具３４の回動レバー４２の被駆動部４２ｅが上方に押されて上方位置へ移動する（図４及び図６（ａ）の矢印Ｂ参照。）。なお、回動レバー４２の被駆動部４２ｅの形状は、ロック操作部材３３の前記斜面３３ａと当接する部分の角部を無くすように面取りされて面同士が当接するような形状となっており、該当接部が磨耗しにくいため、ロック装置３１の信頼性を長期間にわたって確保することができる。
【００３５】
前記被駆動部４２ｅの上方位置への移動に伴って、回動レバー４２は回動支軸４２ａ，４２ｂまわりに回動し、係合凸部４２ｆは下方位置へ移動する（図４及び図６（ａ）の矢印Ｃ参照。）。係合凸部４２ｆは、前記のとおり作動部材３５の水平長孔３５ａに係合しているので、係合凸部４２ｆが下降すると、該係合凸部４２ｆにより水平長孔３５ａに下面が押され、作動部材３５も下降する（図４中矢印Ｄ参照。）。
【００３６】
該作動部材３５が下降すると、係止部３６，３６も下降するので、該係止部３６，３６が引出し１０４，１０５に設けられた前記ストッパー２２，２２（図２も参照。）の前側に位置して引き出せなくなるため、収納家具本体１０２内に収容された複数の引出し１０４，１０５を一斉にロック状態にすることができる。
【００３７】
また、前記キーを反転（例えば、反時計まわりに１８０°回転）すると、ロック操作部材３３が側框１１２から離れる方向へ移動するため、作動部材３５をロック解除方向に付勢する弾性部材であるねじりコイルばね４３の付勢力によりロック解除方向である上方に付勢された作動部材３５が上昇し、引出し１０４，１０５を一斉にロック解除状態にすることができる。
【００３８】
図６（ａ）に示すように、連係具３４の回動レバー４２は回動支軸４２ａ，４２ｂまわりに回動し、該回動の中心とロック操作部材３３の前記斜面３３ａに当接する被駆動部（入力端）４２ｅとの距離Ｌ１に対し、前記回動の中心と作動部材３５を駆動する係合凸部（出力端）４２ｆとの距離Ｌ２は、例えば２ないし３倍程度、Ｌ１よりも大きく設定されており、いわゆる変位拡大機構を構成している。
【００３９】
したがって、引出しのロック解除状態とロック状態とを切替えるために必要な係合凸部４２ｆの上下ストロークを確保するための被駆動部４２ｅの上下ストロークを小さくすることができる。よって、ロック操作部材３３の側框１１２方向のストロークを小さく抑えることができる。また、回動レバー４２は略水平方向に延びる長い形状であるが、前後方向に延びているため、連係具３４の左右方向の幅を小さく抑えることができる。
【００４０】
以上より、連係具３４が取付けられる側框１１２の左右方向の幅を小さくすることができるため、側框１１２の左右方向の幅も小さく抑えることができる。よって、ワゴン本体（収納家具本体）１０２の大きさに対する収納スペースの割合を大きく保つことができる。
【００４１】
また、連係具３４は前記のとおり容易に組立てられ、連係具本体４１内に収容されるねじりコイルばね４３は、作動部材３５をロック解除方向に付勢する弾性部材としての機能を有するものである。しかし、連係具本体４１内には、必ずしもねじりコイルばね４３を収容する必要はなく、作動部材３５をロック解除方向に付勢する弾性部材である圧縮コイルばねを作動部材の下側に設けてもよい。しかし、本実施の形態のように作動部材３５をロック解除方向に付勢する弾性部材であるねじりコイルばね４３も含んだ状態でユニット化すれば、圧縮コイルばねを作動部材３５の下側に別個に取付る必要がなくなるとともに、該ユニットを容易に側框１１２に取付けることができるため、組立作業性を大きく向上することができる。
【００４２】
以上の説明においては、作動部材３５のロック解除方向が上方であり、ロック操作部材３３により作動部材３５を下方へ移動させて係止部３６，３６を下降させ、該係止部３６，３６を前記ストッパー２２，２２の前側に位置させて引出し１０４，１０５を一斉にロック状態にする場合について説明したが、作動部材３５のロック解除方向を下方としてもよい。
【００４３】
このように、作動部材３５のロック解除方向を下方とした場合においては、ロック操作部材３３の遊端部下面に側框１１２方向へ行くにしたがって上方へ傾斜する斜面を形成し、連係具３４が、側框１１２に取付けられた基体４１と、該基体４１に中間部分を支持されて左右方向軸まわりに回動可能な、一端を入力端４２ｅとし他端を出力端４２ｆとしてなる回動レバーとからなり、ロック操作部材３３の側框１１２方向への突出により、ロック操作部材３３の前記斜面に回動レバー４２の入力端４２ｅの上面が当接して下方に駆動され、回動レバー４２の出力端４２ｆが上方へ移動して作動部材３５が駆動されるように構成すればよい。
【００４４】
また、ロック操作部材３３の遊端部の形状は、本実施の形態に示したような形状に限定されるものではなく、ロック操作部材３３の側框１１２方向への突出により、該ロック操作部材３３の遊端部に当接する回動レバー４２が駆動されて回動する形状であればよい。
【図面の簡単な説明】
【００４５】
【図１】本発明の実施の形態に係る収納家具における引出しのロック装置が用いられた上下２段の引出しを備えたワゴンを示す縦断左側面図である。
【図２】引出しの分解斜視図である。
【図３】錠前及びロック操作部材並びに連係具及び作動部材の関係を示す前側から見た斜視図である。
【図４】錠前及びロック操作部材並びに連係具及び作動部材の関係を示す前側から見た斜視図である。
【図５】連係具の分解斜視図である。
【図６】同じく動作説明図であり、（ａ）は正面図（ｂ）は平面図である。
【符号の説明】
【００４６】
１０１  ワゴン（収納家具）
１０２  ワゴン本体（収納家具本体）
１０４  上段引出し
１０５  下段引出し
１１２  側框（右前補強体）
１１３  連係具取付孔
１１４  案内溝
１  前板
２  裏カバー
３  胴板
２２  ストッパー
２３  側面開口部
３１  ロック装置
３２  錠前
３３  ロック操作部材
３３ａ  斜面
３３ｂ  被ガイド部
３４  連係具
３５  作動部材
３５ａ  長孔
３６  係止部
３７  取付板
３７ａ  押え板
３８  シリンダー
３８ａ  キー穴
４１  連係具本体（基体）
４１ａ，４１ｂ  軸受孔
４１ｃ，４１ｄ，４１ｅ  係止片
４１ｆ，４１ｇ，４１ｈ  当止部
４２  回動レバー
４２ａ，４２ｂ  回動支軸
４２ｃ  ばね受けピン
４２ｄ  当止部
４２ｅ  被駆動部（入力端）
４２ｆ  係合凸部（出力端）
４２ｇ  凸部
４３  ねじりコイルばね（弾性部材）
【図１】
0004779634.tif 000002
【図２】
0004779634.tif 000003
【図３】
0004779634.tif 000004
【図４】
0004779634.tif 000005
【図５】
0004779634.tif 000006
【図６】
0004779634.tif 000007